(57)【要約】      （修正有）【課題】良好な外観体裁を得ることができるリールシートの係合構造を提供する。【解決手段】筒状のリールシート本体１と、該リールシート本体１の外側に装着され、リールシート本体１に対して中心線方向に沿って移動可能であって且つ相対回転不能な延長スリーブ４と、リールシート本体１の保持用雄ネジ部に螺合して延長スリーブ４を中心線方向に沿って移動させるための保持用ナット５とを備えている。保持用ナット５の前端部内面の係合凸部５０が、延長スリーブ４の突片部４０の係合溝４１に係合する。係合溝４１に傾斜面４１ｄが形成され、係合凸部５０に傾斜面５０ｄが形成されている。係合溝４１の傾斜面４１ｄに、係合凸部５０の傾斜面５０ｄが当接する。【選択図】図４
2019170328.tif 000002
【特許請求の範囲】
【請求項１】
釣竿用の筒状のリールシートにおける係合構造であって、
釣竿の竿本体に装着され、雄ネジ部を有する筒状のリールシート本体と、
該リールシート本体の外側に装着され、リールシート本体に対して中心線方向に沿って移動可能であって且つ相対回転不能な移動筒と、リールシート本体の雄ネジ部に螺合して移動筒を中心線方向に沿って移動させるためのナットとを備え、
移動筒とナットのうち、一方の部材の端部内面には係合凸部が形成され、他方の部材の端部には、一方の部材に向けて中心線方向に突出した突片部が周方向に間隔をあけて複数形成され、該複数の突片部の外面には、係合凸部と係合し且つ周方向に延びる係合溝がそれぞれ形成されており、
係合溝は、突片部の先端側に位置する第一の側面と、突片部の基端側に位置する第二の側面と、両側面同士をつなぐ底面とを有し、
係合凸部は、他方の部材側に位置する第一の側面と、該第一の側面とは反対側に位置する第二の側面と、両側面同士をつなぐ突端面とを有し、
係合溝における第二の側面と底面との境界部と、係合凸部における第一の側面と突端面との境界部には、それぞれ傾斜面が形成されていることを特徴とするリールシートの係合構造。
【請求項２】
係合溝の傾斜面は、係合溝の第一の側面よりも大きく、係合凸部の傾斜面は、係合凸部の第二の側面よりも大きい請求項１記載のリールシートの係合構造。
【請求項３】
係合溝は突片部の基端部に形成されていて、係合溝の第二の側面は、他方の部材の端面の一部を構成している請求項１又は２記載のリールシートの係合構造。
【請求項４】
リールシート本体の外周面には、中心線方向に延びるガイド溝が周方向に間隔をおいて複数形成され、移動筒の内周面には、ガイド溝に係合する移動用凸部が周方向に間隔をおいて複数形成されており、複数の移動用凸部がそれぞれ移動筒の端部から中心線方向に延長されて突片部が形成されていて、突片部は移動用凸部の一部を構成している請求項１乃至３の何れかに記載のリールシートの係合構造。
【請求項５】
突片部とは反対側の移動用凸部の端部の幅方向中央部には肉抜き凹部が形成されていて、突片部とは反対側の移動用凸部の端部は二股状に形成されている請求項４記載のリールシートの係合構造。
【発明の詳細な説明】
【技術分野】
【０００１】
本発明は、釣竿にリールを固定するための筒状のリールシートにおける係合構造に関する。
【背景技術】
【０００２】
リールシートは、筒状のリールシート本体と、該リールシート本体の外側に装着されて中心線方向に移動可能な筒状のフードと、該フードを移動させるためのナットとを備えている。ナットは、リールシート本体の雄ネジ部に螺合している。フードは、リールシート本体に対して中心線方向には移動可能であるものの相対回転はしない。ナットの端部とフードの端部とは互いに係合している。ナットを回転させることにより、フードをリールシート本体の中心線方向に移動させて、リールの脚部をリールシートに固定したり、あるいは、リールシートからリールの脚部を取り外したりすることができる。
【０００３】
下記特許文献１では、ナットの端部外周面に環状溝が形成され、フードの端部内周面にはフランジ部が形成されており、ナットの環状溝にフードのフランジ部が係合する。フードのフランジ部の突端面は、環状溝の底面に対して僅かに大きく形成されており、フランジ部の突端面と環状溝の底面との間には若干の隙間が存在している。そのため、ナットを締め付けたときに、ナットの中心線に対してフードの中心線が所定方向に位置ずれした状態となりやすい。即ち、フードの端部外周面がナットの外周面に対して偏心した状態となりやすい。
【先行技術文献】
【特許文献】
【０００４】
【特許文献１】実開平６−４１４７３号公報
【発明の概要】
【発明が解決しようとする課題】
【０００５】
それゆえに本発明は、良好な外観体裁を得ることができるリールシートの係合構造を提供することを課題とする。
【課題を解決するための手段】
【０００６】
本発明は上記課題を解決すべくなされたものであって、本発明に係るリールシートの係合構造は、釣竿用の筒状のリールシートにおける係合構造であって、釣竿の竿本体に装着され、雄ネジ部を有する筒状のリールシート本体と、該リールシート本体の外側に装着され、リールシート本体に対して中心線方向に沿って移動可能であって且つ相対回転不能な移動筒と、リールシート本体の雄ネジ部に螺合して移動筒を中心線方向に沿って移動させるためのナットとを備え、移動筒とナットのうち、一方の部材の端部内面には係合凸部が形成され、他方の部材の端部には、一方の部材に向けて中心線方向に突出した突片部が周方向に間隔をあけて複数形成され、該複数の突片部の外面には、係合凸部と係合し且つ周方向に延びる係合溝がそれぞれ形成されており、係合溝は、突片部の先端側に位置する第一の側面と、突片部の基端側に位置する第二の側面と、両側面同士をつなぐ底面とを有し、係合凸部は、他方の部材側に位置する第一の側面と、該第一の側面とは反対側に位置する第二の側面と、両側面同士をつなぐ突端面とを有し、係合溝における第二の側面と底面との境界部と、係合凸部における第一の側面と突端面との境界部には、それぞれ傾斜面が形成されていることを特徴とする。
【０００７】
該構成の係合構造にあっては、係合溝と係合凸部にそれぞれ傾斜面が形成されているので、ナットを締め込んでいったときに、係合溝の傾斜面と係合凸部の傾斜面とが互いに当接することができる。係合溝の傾斜面と係合凸部の傾斜面とが当接することにより、係合溝の傾斜面と係合凸部の傾斜面との間でセンタリング作用が働き、ナットの中心線と移動筒の中心線との間の位置ずれが抑制される。また、ナットを締め付けたときにナットが移動筒に対して径方向に位置ずれしにくいので、ナットの締め付け完了付近におけるナットの回転操作が安定して操作感に優れ、しかも、安定した締め付け力を得ることも可能となる。更に、複数の突片部の外面に係合溝がそれぞれ形成されていて、突片部同士は周方向に離間しているので、係合溝と係合凸部とが固着しにくく、ナットをスムーズに回転開始することができる。また、ナットの締め付け完了付近において複数の突片部が径方向内側に向けて僅かに撓むこともできるので、しっかりとした締め付け感覚が得られる。
【０００８】
特に、係合溝の傾斜面は、係合溝の第一の側面よりも大きく、係合凸部の傾斜面は、係合凸部の第二の側面よりも大きいことが好ましく、安定したセンタリング作用を得ることができる。
【０００９】
また、係合溝は突片部の基端部に形成されていて、係合溝の第二の側面は、他方の部材の端面の一部を構成していることが好ましく、係合溝を有する突片部の強度を確保しやすい。
【００１０】
また、リールシート本体の外周面には、中心線方向に延びるガイド溝が周方向に間隔をおいて複数形成され、移動筒の内周面には、ガイド溝に係合する移動用凸部が周方向に間隔をおいて複数形成されており、複数の移動用凸部がそれぞれ移動筒の端部から中心線方向に延長されて突片部が形成されていて、突片部は移動用凸部の一部を構成していることが好ましい。このように突片部と移動用凸部とが一体的に形成された構成の場合、突片部の厚さ即ち径方向の寸法を大きく確保することが容易となり、突片部の強度を確保しやすくなる。また、ナットを締め付けたときに移動筒の突片部が径方向内側に僅かに撓み、突片部の内面をガイド溝の底面に押し付けることも可能になる。突片部の内面がガイド溝の底面に押し付けられると、リールシート本体に対する移動筒の位置が安定し、移動筒をリールシート本体の所定の位置にしっかりと固定することができる。
【００１１】
特に、突片部とは反対側の移動用凸部の端部の幅方向中央部には肉抜き凹部が形成されていて、突片部とは反対側の移動用凸部の端部は二股状に形成されていることが好ましく、移動用凸部の幅を確保できると共に、合成樹脂から射出成形により形成する際には移動用凸部の形状が安定する。
【発明の効果】
【００１２】
以上のように、係合溝の傾斜面と係合凸部の傾斜面とによってセンタリング機能が発揮されるので、ナットの端部外周面と移動筒の端部外周面との間の同軸度が向上し、良好な外観体裁を得ることができる。また、複数の突片部に係合溝が形成されているので、係合溝が全周に亘って連続した環状の構成に比して、係合溝と係合凸部との間で固着が発生しにくく、ナットのスムーズな回転が得られる。また、突片部が僅かに内側に撓むこともできるので、安定した締め付け力が得られやすく、ナットの操作性にも優れている。
【図面の簡単な説明】
【００１３】
【図１】本発明の一実施形態におけるリールシートの斜視図。
【図２】同リールシートを中心線方向に切断した縦断面図。
【図３】図２の要部拡大図。
【図４】図３の要部拡大図。
【図５】同リールシートの延長スリーブ（移動筒）と保持用ナットとを示す斜視図。
【図６】同リールシートの延長スリーブ（移動筒）を示し、（ａ）は正面図、（ｂ）は要部拡大図。
【図７】同リールシートのリールシート本体と延長スリーブ（移動筒）とを示す斜視図。
【図８】同リールシートから交換部材を取り外した状態の正面図。
【図９】本発明の他の実施形態におけるリールシートの要部拡大断面図。
【発明を実施するための形態】
【００１４】
以下、本発明の一実施形態に係るリールシートについて図１〜図８を参酌しつつ説明する。尚、リールシートの中心線方向（軸線方向）を前後方向とし、前側を竿先側、後側を竿尻側とする。図１及び図２に前側を矢印Ｘ１で示し、後側を矢印Ｘ２で示している。また、後述するリール脚載置部１１を上側とし、それとは反対側を下側とする。図１及び図２に上側を矢印Ｙ１で示し、下側を矢印Ｙ２で示している。本実施形態におけるリールシートは、釣竿に図示しない両軸リールを取り付けるためのものであるが、スピニングリールを取り付ける構成であってもよい。両軸リールは、通常、使用状態において釣竿の上側に位置する。
【００１５】
リールシートは、竿本体１００（ブランク）に外装着される筒状の構成であって、リールシート本体１と、フード用ナット２と、可動フード３（移動筒）と、延長スリーブ４（移動筒）と、保持用ナット５を備えている。リールシートの中心線は竿挿通孔１０の中心線１０ａであって竿本体１００の中心線と一致する。リールシートの軸線方向はリールシートの中心線の方向であり、竿本体１００の軸線方向は竿本体１００の中心線の方向である。リールシートの軸線方向と竿本体１００の軸線方向は一致する。
【００１６】
リールシート本体１は、全体として筒状であって、その内側を竿本体１００が挿通する。従って、リールシート本体１は、竿本体１００が挿通する竿挿通孔１０を有している。リールシート本体１は、竿本体１００の所定位置に取り付けられる。リールシート本体１は竿本体１００の外周面に直接接着固定されたり、竿本体１００の外周面との間に筒状のスペーサ（図示省略）を介して接着固定されたりする。リールシート本体１は、種々の合成樹脂から射出成形により形成してよい。材質としては、特に繊維強化樹脂が好ましく、長さが１ｍｍ以下の短繊維を強化繊維とした繊維強化樹脂が好ましい。また、その繊維としてはカーボン繊維が好ましい。
【００１７】
リールシート本体１は、リール脚載置部１１と、固定フード部１２と、フード用雄ネジ部１３と、保持用雄ネジ部１４，１５と、側方張り出し部１６と、サポート壁部１７と、グリップ部１８とを備えている。リール脚載置部１１は、両軸リールの図示しないリール脚を載置するための部分であって、リールシート本体１の上面に形成されている。該リール脚載置部１１の後側に固定フード部１２が位置している。固定フード部１２は、リール脚の後端部を保持するための部分であって前側に開口しており、固定フード部１２にはリール脚の後端部が前側から挿入される。
【００１８】
リールシート本体１の前部外周面にフード用雄ネジ部１３が形成されている。該フード用雄ネジ部１３にはフード用ナット２が螺合している。該フード用ナット２の後側に可動フード３が位置し、可動フード３はリールシート本体１に対して前後方向に移動可能であるが回転不能である。フード用雄ネジ部１３には、その全周のうち所定箇所にネジ部が形成されていない部分（図示省略）が形成されていて、その部分は前後方向に沿って延びていてリールシート本体１の前端まで達している。その部分が可動フード３を中心線方向に案内するためのガイド溝である。ガイド溝は、周方向に間隔をあけて複数形成されていることが好ましい。可動フード３の内周面には、ガイド溝に案内される移動用凸部（図示省略）が突設されている。移動用凸部はガイド溝に係合し、可動フード３が前後方向に移動する際に、移動用凸部はガイド溝を摺動する。移動用凸部も周方向に間隔をあけて複数形成されていることが好ましい。
【００１９】
可動フード３は筒状であって、その全周のうちの上部に部分的に径方向外側に膨出したフード部が形成されている。可動フード３のフード部は、リール脚の前端部を保持する部分であって後側に開口しており、そのフード部にリール脚の前端部が相対的に後側から挿入される。フード用ナット２の後端部と可動フード３の前端部との間に係合構造を備えている。フード用ナット２の後端部は可動フード３の前端部に相対回転可能に係合していて、フード用ナット２が回転しながら前後に移動すると、それに合わせて可動フード３は前後に移動するものの回転はしない。フード用ナット２の後端部の内周面には係合凸部７０が形成されていて、可動フード３の前端部の外周面には係合溝６１が形成されている。フード用ナット２の係合凸部７０が可動フード３の係合溝６１に係合している。フード用ナット２を後側に移動させることで可動フード３を固定フード部１２に接近させることができて可動フード３と固定フード部１２でリール脚を前後に狭持して固定する。逆に、フード用ナット２を前側に移動させると、可動フード３は固定フード部１２から前側に離れていき、両軸リールを釣竿から取り外すことができる。
【００２０】
リールシート本体１の後部は固定フード部１２よりも後側に長く筒状に延びている。リールシート本体１は、固定フード部１２よりも後側に延びる延長筒部１９を備えている。該延長筒部１９は、グリップ部１８よりも後側に延びている。延長筒部１９は、一部材としてリールシート本体１に一体的に形成されているが、リールシート本体１とは別体に形成されて接着等によりリールシート本体１に取り付けられていてもよい。延長筒部１９の外周面には第一及び第二の保持用雄ネジ部１４，１５が形成されている。第一の保持用雄ネジ部１４は延長筒部１９の前端部近傍に形成されており、第二の保持用雄ネジ部１５は第一の保持用雄ネジ部１４から後側に所定長さ離間して形成されていて延長筒部１９の後端部近傍に形成されている。第一及び第二の保持用雄ネジ部１４，１５の何れを使用する構成であってもよいが、本実施形態では第二の保持用雄ネジ部１５を使用する構成とされていて第一の保持用雄ネジ部１４は不使用の構成である。第二の保持用雄ネジ部１５は延長筒部１９の後端まで形成されている。
【００２１】
第二の保持用雄ネジ部１５に保持用ナット５が螺合し、該保持用ナット５の前側に延長スリーブ４が位置している。該延長スリーブ４はリールシート本体１の延長筒部１９の外側に隙間をあけつつ同軸上に位置している。延長スリーブ４はリールシート本体１の延長筒部１９に対して前後方向に移動可能であるが回転不能である。第二の保持用雄ネジ部１５には、その全周のうち所定箇所にネジ部が形成されていない部分が形成されていて、その部分は前後方向に沿って延びていてリールシート本体１の後端まで達している。その部分が延長スリーブ４を中心線方向に案内するためのガイド溝３０である。ガイド溝３０は、周方向に間隔をあけて複数形成されていることが好ましく、本実施形態では、上下左右に９０度間隔毎に合計四箇所形成されている。
【００２２】
延長スリーブ４の内周面には、ガイド溝３０に案内される移動用凸部３１が径方向内側に向けて突設されている。移動用凸部３１は、延長スリーブ４の内周面の全長のうち後端部の内周面のみに局所的に形成されている。移動用凸部３１はガイド溝３０に係合し、延長スリーブ４が前後方向に移動する際に、移動用凸部３１はガイド溝３０を摺動する。移動用凸部３１も周方向に間隔をあけて複数形成されていることが好ましく、本実施形態においては、ガイド溝３０に対応して上下左右に９０度間隔毎に合計四箇所形成されていて、四つのガイド溝３０に四つの移動用凸部３１が各々係合する。四つの移動用凸部３１は全て同一形状である。
【００２３】
延長スリーブ４は、複数の突片部４０を備えている。該突片部４０は、延長スリーブ４の後端面４ａから後側に向けて突設されている。複数の突片部４０は互いに周方向に間隔をあけて形成されており、本実施形態では９０度毎の等間隔で配置されている。突片部４０は、上下左右に合計四箇所形成されており、移動用凸部３１に対応した配置となっている。四つの移動用凸部３１は全て同一形状である。四つの移動用凸部３１はそれぞれ延長スリーブ４の後端面４ａよりも後側に延長されており、その後方延在部から突片部４０が形成されている。従って、移動用凸部３１と突片部４０は互いに一体の構成となっており、突片部４０は移動用凸部３１の後部を構成している。周方向の寸法を幅と称すると、突片部４０の幅は、移動用凸部３１の幅と略等しく、ガイド溝３０の幅よりも若干狭い程度である。突片部４０の後方への突出量は突片部４０の幅と同じ程度かそれよりも小さい。
【００２４】
移動用凸部３１の内面はガイド溝３０の底面と摺動するので、周方向に沿って径方向外側に向けて湾曲している。突片部４０の内面は移動用凸部３１の内面の一部を構成しており、周方向に沿って径方向外側に向けて湾曲している。移動用凸部３１の内面は、延長スリーブ４の後端部内面よりも一段径方向内側に突出している。そのため、延長スリーブ４の後端部の全周のうち、移動用凸部３１が形成された四箇所の肉厚は局所的に増大している。延長スリーブ４は合成樹脂から射出成形により形成されることが好ましく、本実施形態では延長スリーブ４は射出成形品である。延長スリーブ４の後端部における偏肉を緩和するために、移動用凸部３１の前端部には肉抜き凹部３２が形成されている。肉抜き凹部３２は延長スリーブ４の後端面４ａ近傍まで延びている。肉抜き凹部３２は、突片部４０を含めた移動用凸部３１の全長のうち前部のみに形成されていて後部には形成されている。肉抜き凹部３２の底面は延長スリーブ４の内周面と面一である。突片部４０の外面は延長スリーブ４の後端部外周面に対して一段径方向内側に位置している。肉抜き凹部３２によって移動用凸部３１の前部は二股状に形成されている。
【００２５】
延長スリーブ４の後端部と保持用ナット５の前端部との間に係合構造を備えている。延長スリーブ４の後端部は保持用ナット５の前端部に相対回転可能に係合していて、保持用ナット５が回転しながら前後に移動すると、それに合わせて延長スリーブ４は前後に移動するものの回転はしない。突片部４０の外面に係合溝４１が形成されている。係合溝４１は、突片部４０の基端部に形成されている。係合溝４１は周方向に沿って形成されていて突片部４０の全幅に亘って形成されている。係合溝４１は全ての突片部４０にそれぞれ形成されており、それらの係合溝４１は同一形状であって前後方向の位置も互いに同じである。係合溝４１同士は周方向に離間しているが、一つの仮想的な環状溝の一部を構成しており、その仮想的な環状溝が周方向に分断されて四つの係合溝４１が構成されている。
【００２６】
図４のように、係合溝４１は、突片部４０の先端側に位置する第一の側面４１ａと、突片部４０の基端側に位置する第二の側面４１ｂと、両側面４１ａ，４１ｂ同士をつなぐ底面４１ｃとを有している。第一の側面４１ａは、後側の側面であり、第二の側面４１ｂは前側の側面である。第一の側面４１ａと第二の側面４１ｂは互いに前後に対向していて、何れも、前後方向に対して略直角であって径方向に沿って延びている。第二の側面４１ｂは、第一の側面４１ａよりも、径方向の寸法が大きい。第二の側面４１ｂは、延長スリーブ４の後端面４ａの一部を構成している。底面４１ｃは、前後方向に沿って延びている。底面４１ｃは、周方向に沿って径方向外側に向けて湾曲していて、延長スリーブ４の中心線を中心とした湾曲面である。第二の側面４１ｂと底面４１ｃとの境界部には傾斜面４１ｄが形成されている。傾斜面４１ｄは、第一の側面４１ａよりも大きい。傾斜面４１ｄは、前後方向に対して略４５度の傾斜角度を有している。
【００２７】
保持用ナット５の前端部の内周面には、環状の係合凸部５０が径方向内側に向けて突設されている。係合凸部５０が延長スリーブ４の係合溝４１に係合する。係合凸部５０の前後方向の寸法は係合溝４１の前後方向の寸法に比して若干小さい。係合凸部５０は、前側に位置する環状の第一の側面５０ａと、後側に位置する環状の第二の側面５０ｂと、第一の側面５０ａと第二の側面５０ｂとをつなぐ環状の突端面５０ｃとを有している。第一の側面５０ａは、保持用ナット５の前端面５ａの一部を構成している。第一の側面５０ａと第二の側面５０ｂは互いに前後に対向していて、何れも前後方向に対して略直角であって径方向に沿って延びている。第一の側面５０ａは、第二の側面５０ｂよりも、径方向の寸法が大きい。突端面５０ｃは保持用ナット５の中心線を中心とした周面であって内端面である。突端面５０ｃは、前後方向に沿って延びている。第一の側面５０ａと突端面５０ｃとの境界部には傾斜面５０ｄが形成されている。傾斜面５０ｄは、第二の側面５０ｂよりも大きい。傾斜面５０ｄは、前後方向に対して略４５度の傾斜角度を有している。係合凸部５０の傾斜面５０ｄの傾斜角度は、係合溝４１の傾斜面４１ｄの傾斜角度と略等しく、係合凸部５０の傾斜面５０ｄと係合溝４１の傾斜面４１ｄは互いに平行関係にある。係合凸部５０の傾斜面５０ｄの前後方向の寸法は、係合溝４１の傾斜面４１ｄの前後方向の寸法よりも若干小さい。係合凸部５０の突端面５０ｃは、係合溝４１の底面４１ｃよりも若干大径である。
【００２８】
図４のように保持用ナット５の係合凸部５０は延長スリーブ４の係合溝４１に径方向外側から係合する。係合凸部５０の第一の側面５０ａは係合溝４１の第二の側面４１ｂと対向する。保持用ナット５の前端面５ａは延長スリーブ４の後端面４ａと対向する。係合凸部５０の傾斜面５０ｄは、係合溝４１の傾斜面４１ｄと対向する。係合凸部５０の突端面５０ｃは、係合溝４１の底面４１ｃと対向する。係合凸部５０の第二の側面５０ｂは、係合溝４１の第一の側面４１ａと対向する。
【００２９】
図４は、保持用ナット５が延長スリーブ４を前側に押している状態を示している。保持用ナット５が延長スリーブ４を前側に押すとき、保持用ナット５の前端面５ａは延長スリーブ４の後端面４ａに当接し、係合凸部５０の第一の側面５０ａは係合溝４１の第二の側面４１ｂに当接し、係合凸部５０の傾斜面５０ｄは係合溝４１の傾斜面４１ｄに当接する。また、係合凸部５０の突端面５０ｃは、係合溝４１の底面４１ｃに対して径方向外側に若干の隙間をあけて離間し、係合凸部５０の第二の側面５０ｂは、係合溝４１の第一の側面４１ａに対して前側に若干の隙間をあけて離間している。尚、保持用ナット５が後側に移動する際には、保持用ナット５の前端面５ａは延長スリーブ４の後端面４ａから後側に離間し、係合凸部５０の第一の側面５０ａも係合溝４１の第二の側面４１ｂから後側に離間し、係合凸部５０の傾斜面５０ｄも係合溝４１の傾斜面４１ｄから離間する。一方、係合凸部５０の第二の側面５０ｂは、係合溝４１の第一の側面４１ａに当接し、これにより保持用ナット５は延長スリーブ４を後側に引いていく。
【００３０】
延長スリーブ４の前端開口部には開口リング６が装着されている。従って、延長スリーブ４の前端面は開口リング６により構成されている。保持用ナット５を締め付け方向に回転させて延長スリーブ４を前側に移動させると、延長スリーブ４の前端部に位置する開口リング６で後述の交換部材８を前側に押圧して交換部材８を取付状態に保持することができる。保持用ナット５を緩め方向に回転させて延長スリーブ４を後側に移動させると、交換部材８を取り外すことができる。このように保持用ナット５の前側に延長スリーブ４を備えることにより、保持用ナット５を固定フード部１２やグリップ部１８から後側に離して位置させることができる。従って、釣りを行う際に、両軸リールを把持する手が保持用ナット５に触れにくくなり、保持用ナット５が緩みにくくなるという利点がある。
【００３１】
＜側方張り出し部１６＞
リールシート本体１は、左右非対称の形状となっている。リールシート本体１は、左右両側面のうち何れか一方の側面のみに左右方向の外方に向けて張り出した側方張り出し部１６を備えている。本実施形態におけるリールシートは、右側にハンドルを備えた両軸リールを取り付けるためのもの、即ち、右ハンドル仕様のものである。そのため、側方張り出し部１６は、リールシート本体１の左右両側面のうち左側の側面のみに形成されており、左側の側面は右側の側面よりも外側に膨出するように張り出している。
【００３２】
側方張り出し部１６は、パーミング時に、手の平がリールシート本体１に当接する部分を増加させる機能を有する。パーミング時には、両軸リールとリールシートを左手の全体で包み込むように把持する。具体的には、左手の親指を両軸リールの左側の側壁部の上面に載せ、左手の他の四本の指はリールシートの下面に位置させる。このような把持の仕方を一般的にパーミングと称する。パーミング時に側方張り出し部１６は、特に手の平のうち人差し指から小指までの四本の指の付け根の関節部分（ＭＰ関節）、ないしは、触球部に当接してそれを支持する。
【００３３】
＜サポート壁部１７＞
側方張り出し部１６の後部には、サポート壁部１７が上方に向けて突設されている。サポート壁部１７は、パーミング時に手の平に当接してその手の平を内側から支えるためのものである。サポート壁部１７は、固定フード部１２の側方やや後方に離間して位置していて上方に向けて起立している。サポート壁部１７は側方張り出し部１６の後部を構成している。
【００３４】
＜グリップ部１８＞
リールシート本体１の下部の後側寄りの位置にグリップ部１８が形成されている。該グリップ部１８は、リールシート本体１の下面の後部に下側に向けて大きく膨出している。グリップ部１８は中空状である。グリップ部１８は、パーミング時に人差し指から小指の手の平側の面である裏面に当接してそれを支持する。グリップ部１８には人差し指から小指までの四本の指が当接してもよいし、その四本のうちの複数の指が当接してもよい。グリップ部１８は、リールシート本体１の下面のうち固定フード部１２の下側に対応した位置から後側にかけて形成されていて、延長筒部１９の前部の下側位置まで延びている。
【００３５】
＜リールシート本体１の部材構成＞
次に、本実施形態におけるリールシート本体１の部材構成について説明する。本実施形態では、リールシート本体１は、互いに別体に形成された固定部材７と交換部材８とから構成される。固定部材７は、竿本体１００に接着固定される。固定部材７は、リールシート本体１の主要部を構成していて、全体として筒状であって、その内側に竿挿通孔１０を備えており、リール脚載置部１１、固定フード部１２、フード用雄ネジ部１３、及び延長筒部１９を有している。
【００３６】
交換部材８は、固定部材７に対して着脱自在である。交換部材８は、リールシート本体１の前後方向中央部近傍であって下側部分を構成していて、固定部材７に対して下側に向けて分離可能であり、下側から上側に向けて固定部材７に取り付けられる。交換部材８は、側方張り出し部１６とサポート壁部１７とグリップ部１８を有している。交換部材８は、固定部材７の前後方向中央部近傍の下側略半分の部分を下側且つ外側から覆う。固定部材７に下側から交換部材８が取り付けられて、固定部材７の下側部分の外面の径方向外側に交換部材８が重なり合う。固定部材７は左右対称形状であり、交換部材８は左右非対称形状である。従って、固定部材７に交換部材８を装着することにより、リールシート本体１は左右非対称の形状となる。固定部材７から交換部材８を取り外すことにより、側方張り出し部１６とサポート壁部１７とグリップ部１８は、固定部材７から一括して外れる。尚、交換部材８がトリガを備える構成であってもよい。
【００３７】
＜交換部材８の取付、取り外し＞
図８のように保持用ナット５を緩めて後側に後退させた状態で交換部材８を固定部材７に対して着脱できる。交換部材８の取付、取り外し作業は、釣竿にリールシートが取り付けられた状態のままで行うことができる。竿本体１００に固定部材７が取り付けられた状態で、交換部材８を取り付けたり、取り外したりすることができる。従って、他の種類の交換部材８を準備しておけば、釣竿にリールシートが取り付けられている状態のまま交換部材８のみを交換することができる。例えば、左側にサポート壁部１７が形成された交換部材８から、右側にサポート壁部１７が形成された交換部材８に交換することもできる。従って、交換部材８のみを交換することで、右側のハンドル１０５を備えた両軸リールから左側にハンドルを備えた両軸リールに付け替えることができる。また、サポート壁部１７の形状や大きさ、側方張り出し部１６の張り出し量、グリップ部１８の位置や大きさやその有無等、種々の仕様の交換部材８に容易に取り替えて楽しむことができる。また、交換部材８の材質や色、デザイン等が異なる他の交換部材８に容易に交換することもできる。そのため、釣り人の好みや両軸リールの種類、対象魚や状況等に応じて、釣り人が自由にリールシートをカスタマイズして楽しむことができる。
【００３８】
このような交換部材８の交換は、釣竿にリールシートが取り付けられた状態のままで行うことができるため、釣り人自らが容易に交換することができる。例えば、釣りの現場においても交換部材８を容易に交換でき、また、両軸リールを釣竿に取り付けた状態のままでも交換部材８を交換することができる。特に、保持用ナット５の締め付け操作と緩め操作によって交換することができるので、交換作業は極めて簡単であって素早く交換することができる。尚、交換部材８を取り外しても、リールシートにはリール脚載置部１１や固定フード部１２、可動フード３、フード用ナット２がそのまま残っているため、交換部材８を取り外したリールシートに両軸リールを装着して釣りを行うことも可能である。
【００３９】
以上のように構成されたリールシートにあっては、保持用ナット５を前側に締め込んでいったときに、係合溝４１の傾斜面４１ｄに係合凸部５０の傾斜面５０ｄが当接し、係合溝４１の傾斜面４１ｄと係合凸部５０の傾斜面５０ｄとの間でセンタリング作用が働く。即ち、保持用ナット５の中心線と延長スリーブ４の中心線との間の位置ずれが抑制される。そのため、保持用ナット５の前端部外周面の全周のうち所定箇所のみが、延長スリーブ４の後端部外周面から径方向外側に局所的に位置ずれして突出したり、あるいは逆に、延長スリーブ４の後端部外周面に対して径方向内側に局所的に位置ずれして凹んだりすることが防止され、保持用ナット５の前端部外周面と延長スリーブ４の後端部外周面とが全周に亘って径方向に均一に揃った状態が保たれる。従って、良好な外観体裁を得ることができる。保持用ナット５は釣り人が操作する部材であるため、目立ちやすい。そのため、保持用ナット５の前端部外周面と延長スリーブ４の後端部外周面との間の同軸度が向上することによる効果は大きい。特に、本実施形態では、保持用ナット５の前端部外周面と延長スリーブ４の後端部外周面とが略同一径となっていて略面一の構成であるため、保持用ナット５の前端部外周面が延長スリーブ４の後端部外周面に対して径方向に位置ずれすると目立ちやすく、センタリング作用による効果は大きい。
【００４０】
また、保持用ナット５を締め付け完了付近において保持用ナット５が延長スリーブ４に対して径方向に位置ずれしにくいので、保持用ナット５の締め付け完了付近における保持用ナット５の回転操作が安定し、操作感に優れる。しかも、安定した締め付け力を得ることもできる。更には、係合溝４１は環状ではなく複数の突片部４０の外面にそれぞれ形成されているので、係合溝４１と係合凸部５０とが固着しにくい。特に、海釣りにおいては塩がみの発生を抑制できる。そのため、保持用ナット５の回転操作を開始する際に保持用ナット５がスムーズに回転し始める。また、保持用ナット５の締め付け完了付近において複数の突片部４０が径方向内側に向けて僅かに撓むので、しっかりとした締め付け感が得られる。そして、各突片部４０の内面がそれぞれリールシート本体１のガイド溝３０の底面４１ｃに押し付けられるので、リールシート本体１に対する延長スリーブ４の位置も安定し、延長スリーブ４を所定位置にしっかりと固定することができ、交換部材８の取付状態も安定する。また、係合溝４１の傾斜面４１ｄは係合溝４１の第一の側面４１ａよりも大きく、係合凸部５０の傾斜面５０ｄは係合凸部５０の第二の側面５０ｂよりも大きいので、安定したセンタリング作用が得られ、安定した締め付け力も得られる。
【００４１】
係合溝４１は突片部４０の基端部に形成されていて、係合溝４１の第二の側面４１ｂは、延長スリーブ４の後端面４ａの一部を構成しているので、突片部４０の強度を確保しやすく、突片部４０の破損を防止できる。また、突片部４０と移動用凸部３１とが一体的に形成されているので、突片部４０の厚さを容易に確保することができ、突片部４０の強度を確保しやすい。更には、突片部４０が移動用凸部３１の後部を構成しているので、移動用凸部３１の前後方向の長さが延長され、長い全長を確保できる。そのため、移動用凸部３１がガイド溝３０に沿って前後に摺動する際にスムーズに摺動でき、延長スリーブ４の前後の移動が滑らかになる。一方、移動用凸部３１の前部には肉抜き凹部３２が形成されていて、移動用凸部３１の前部が二股状となっているので、移動用凸部３１の幅を確保しつつ、延長スリーブ４の後端部における過度の偏肉を抑制でき、移動用凸部３１の形状が安定する。
【００４２】
尚、同様のセンタリング機構を、フード用ナット２と可動フード３との間の係合構造に採用してもよい。図９に、フード用ナット２の後端部と可動フード３の前端部との間の係合構造を拡大して示している。可動フード３の前端部に複数の突片部６０を備える。係合溝６１は、突片部６０の外面に形成されている。係合溝６１は、突片部６０の先端側であって前側に位置する第一の側面６１ａと、突片部６０の基端側であって後側に位置する第二の側面６１ｂと、両側面６１ａ，６１ｂ同士をつなぐ底面６１ｃとを有し、第二の側面６１ｂと底面６１ｃとの境界部に傾斜面６１ｄが形成されている。フード用ナット２の係合凸部７０は環状であって、後側に位置する環状の第一の側面７０ａと、前側に位置する環状の第二の側面７０ｂと、第一の側面７０ａと第二の側面７０ｂとをつなぐ環状の突端面５０ｃとを有し、第一の側面７０ａと突端面７０ｃとの境界部には傾斜面７０ｄが形成されている。そして、フード用ナット２を後側に移動させて可動フード３を後側に押すとき、フード用ナット２の係合凸部７０の傾斜面７０ｄが可動フード３の係合溝６１の傾斜面６１ｄに当接する。フード用ナット２の中心線が可動フード３の中心線と略一致し、フード用ナット２がセンタリングされる。
【００４３】
尚、保持用ナット５に突片部及び係合溝を設けて、延長スリーブ４に係合凸部を設けてもよい。同様に、フード用ナット２に突片部及び係合溝を設けて、可動フード３に係合凸部を設けてもよい。
【符号の説明】
【００４４】
１    リールシート本体
２    フード用ナット
３    可動フード（移動筒）
４    延長スリーブ（移動筒）
４ａ  後端面
５    保持用ナット
５ａ  前端面
６    開口リング
７    固定部材
８    交換部材
１０    竿挿通孔
１０ａ  中心線
１１    リール脚載置部
１２    固定フード部
１３    フード用雄ネジ部
１４    第一の保持用雄ネジ部
１５    第二の保持用雄ネジ部
１６    側方張り出し部
１７    サポート壁部
１８    グリップ部
１９    延長筒部
３０    ガイド溝
３１    移動用凸部
３２    肉抜き凹部
４０    延長スリーブの突片部
４１    延長スリーブの係合溝
４１ａ  第一の側面
４１ｂ  第二の側面
４１ｃ  底面
４１ｄ  傾斜面
５０    保持用ナットの係合凸部
５０ａ  第一の側面
５０ｂ  第二の側面
５０ｃ  突端面
５０ｄ  傾斜面
６０    可動フードの突片部
６１    可動フードの係合溝
６１ａ  第一の側面
６１ｂ  第二の側面
６１ｃ  底面
６１ｄ  傾斜面
７０    フード用ナットの係合凸部
７０ａ  第一の側面
７０ｂ  第二の側面
７０ｃ  突端面
７０ｄ  傾斜面
１００  竿本体
【図１】
2019170328.tif 000003
【図２】
2019170328.tif 000004
【図３】
2019170328.tif 000005
【図４】
2019170328.tif 000006
【図５】
2019170328.tif 000007
【図６】
2019170328.tif 000008
【図７】
2019170328.tif 000009
【図８】
2019170328.tif 000010
【図９】
2019170328.tif 000011